(57)【要約】  【課題】  貼り紙類を壁面に長期にわたって貼っていても貼り紙類の跡がほとんど残らないようにした画鋲を提供する。  【解決手段】  画鋲(10)を受け鋲(30)と押さえ盤(20)とから構成する。受け鋲は受け盤(31)の裏面に壁面(50)に差し込まれる鋲(32)を立設して構成する一方、押さえ盤は受け盤に着脱可能に取付けられて受け盤との間に貼り紙類を挟持するように設け、貼り紙類と壁面との間には受け盤の厚みの空間を形成して空気を流通させる。押さえ盤はその裏面に短鋲(21)を立設し、受け盤は凹状となし、その凹状内部には押さえ盤の短鋲が差込み可能でかつ差し込まれた短鋲を保持し得る受け部材(34)を充填して構成することができる。また、受け盤及び押さえ盤の少なくとも一方には他方を磁着し得る磁石(35)を設けて構成することもできる。【選択図】  図２
0003110108.tif 000002
【実用新案登録請求の範囲】
【請求項１】
貼り紙類を壁面に取付けるための画鋲であって、
受け鋲と押さえ盤とから構成され、
上記受け鋲は受け盤の裏面に上記壁面に差し込まれる鋲を立設して構成されている一方、上記押さえ盤は上記受け盤に着脱可能に取付けられて上記受け盤との間に貼り紙類を挟持するように設けられ、
上記貼り紙類と壁面との間には受け盤の厚みの空間が形成されて空気が流通するようになっていることを特徴とする画鋲。
【請求項２】
上記押さえ盤はその裏面に短鋲が立設されている一方、上記受け盤は凹状をなし、その凹状内部には上記押さえ盤の短鋲が差込み可能でかつ差し込まれた短鋲を保持し得る受け部材が充填されている請求項１記載の画鋲。
【請求項３】
上記受け盤及び押さえ盤の少なくとも一方には他方を磁着し得る磁石が設けられている請求項１記載の画鋲。
【請求項４】
上記鋲と受け盤との間には基部に比して先端が細くなった当たり部が形成されている請求項１記載の画鋲。
【考案の詳細な説明】
【技術分野】
【０００１】
本考案は画鋲に関し、特に貼り紙類を壁面に長期にわたって貼っていても貼り紙類の跡がほとんど残らないようにした画鋲に関する。
【背景技術】
【０００２】
例えば、室内や掲示板等の壁面（以下、単に「壁面」ともいう）に貼り紙やポスター（以下、単に「貼り紙類」という）を貼る場合、粘着テープを用いると粘着剤によって壁面に汚れが付着しやすいことから、画鋲を用いることが多い。
【０００３】
通常、この種の画鋲は押さえ盤の裏面中央に鋲を立設し、貼り紙類に鋲を挿通して壁面まで押し込み、押さえ盤によって貼り紙類を壁面に保持するようになっている（特許文献１、特許文献２、特許文献３）。
【０００４】
【特許文献１】特開平０８−９０９９６号公報
【特許文献２】実用新案登録第３０６５９６９号公報
【特許文献３】実開平０６−８１７９９号公報
【０００５】
ところで、壁面に貼り紙類を長期にわたって貼っていた場合、貼り紙類を剥がすと、壁面に貼り紙類の跡がくっきりと残ってしまうことがある。
【考案の開示】
【考案が解決しようとする課題】
【０００６】
上述の貼り紙類の跡は一般的には紫外線による壁面の変色に起因すると考えられるが、本件考案者らが実験を繰り返したところ、画鋲によって貼り紙類を壁面にピッタリと密着させると、貼り紙類の周囲には室内の空気流が接し、その部分には空気流中の汚れが付着する一方、貼り紙類と壁面との間には空気が流れず、壁面があまり汚れないで残ることが貼り紙類の跡の原因となっていることを知見するに至った。
【０００７】
本考案はかかる知見に基づき、貼り紙類を壁面に長期にわたって貼っていても貼り紙類の跡がほとんど残らないようにした画鋲を提供することを課題とする。
【課題を解決するための手段】
【０００８】
そこで、本考案に係る画鋲は、貼り紙類を壁面に取付けるための画鋲であって、受け鋲と押さえ盤とから構成され、上記受け鋲は受け盤の裏面に上記壁面に差し込まれる鋲を立設して構成されている一方、上記押さえ盤は上記受け盤に着脱可能に取付けられて上記受け盤との間に貼り紙類を挟持するように設けられ、上記貼り紙類と壁面との間には受け盤の厚みの空間が形成されて空気が流通するようになっていることを特徴とする。
【０００９】
本考案の特徴の１つは画鋲を受け鋲と押さえ盤の２つに分割してその間に貼り紙類を挟持する一方、受け鋲の鋲を壁面に差し込み、受け鋲の受け盤の厚みによって貼り紙類と壁面との間に空気を流通させるようにした点にある。
【００１０】
これにより、壁面の貼り紙類で覆われた部分にも空気流が接し、貼り紙類周囲の壁面と同様に空気流中の汚れが付着するので、貼り紙類を剥がした後に目立つような跡が残ることはない。
【００１１】
受け鋲と押さえ盤は相互に着脱可能に取付けることができればどのような形態であってもよい。例えば、押さえ盤はその裏面に短鋲を立設する一方、受け盤は凹状となし、その凹状内部には押さえ盤の短鋲が差込み可能でかつ差し込まれた短鋲を保持し得る受け部材を充填して構成することができる。
【００１２】
受け部材は押さえ盤の短鋲が差込み可能でかつ差し込まれた短鋲を保持し得る部材であればよく、例えばコルク、ゴム、合成樹脂材料等を用いることができる。
【００１３】
また、短鋲と受け部材との組合せではなく、磁石を用いて受け鋲と押さえ盤とを着脱可能に取付けるようにしてもよい。即ち、受け盤及び押さえ盤の少なくとも一方には相互に他方を磁着し得る磁石を設けて構成することもできる。
【００１４】
また、受け鋲の受け盤裏面を壁面に密着させるようにしてもよいが、受け鋲を対象面に強く押し込むと、受け盤の跡が残るおそれがある。そこで、鋲と受け盤との間には基部に比して先端が細くなった当たり部を形成すると、受け鋲を壁面に強く押し込んだときに壁面に残る跡を目立たない程度に小さくできる。
【考案を実施するための最良の形態】
【００１５】
以下、本考案を図面に示す具体例に基づいて詳細に説明する。図１及び図２は本考案に係る画鋲の好ましい実施形態を示す。本例の画鋲１０は押さえ盤２０と受け鋲３０とから構成され、押さえ盤２０は円板状をなし、押さえ盤２０の裏面中央には短鋲２１が立設されている。
【００１６】
受け鋲３０は受け盤３１の裏面中央に鋲３２を立設して構成され、受け盤３１と鋲３２との間には鋲３２よりも大径でかつ基部に比して先端が細くなった当たり部３３が形成されている。受け盤３１は凹状をなし、その凹状内部にはコルク（受け部材）３４が充填され、コルク３４は押さえ盤２０の短鋲２１が差込み可能でかつ差し込まれた短鋲２１を保持し得るようになっている。
【００１７】
押さえ盤２０及び受け鋲３０はその全部を金属材料又は合成樹脂材料を用いて製作することができ、又それらを組み合わせて製作することもできる。例えば、押さえ盤２０は合成樹脂材料で、短鋲２１は金属材料で製作することができ、又受け鋲３０は受け盤３１を合成樹脂材料で、鋲３２及び当たり部３３は金属材料で製作することができる。
【００１８】
貼り紙４０を壁面５０に貼る場合、図２に示されるように、受け鋲３０の鋲３２をその当たり部３３の先端が壁面５０に当たるまで壁面５０に差し込み、受け鋲３０の受け盤３１の上に貼り紙４０を重ねて手で押さえておく。次に、貼り紙４０の上から押さえ盤２０の短鋲２１を受け鋲３０の受け盤３１に向けて挿通し、さらに受け盤３１のコルク３４に押し込み、押さえ盤２０と受け鋲３０の受け盤３１との間で貼り紙４０を挟持する。
【００１９】
このとき、受け盤３１内にはコルク３４が充填されているので、押さえ盤２０の短鋲２１を受け盤３１のコルク３４に軽く押し込むことができ、しかも押さえ盤２０の短鋲２１は受け盤３１のコルク３４によって確実に保持されるので、貼り紙４０を押さえ盤２０と受け鋲３０の受け盤３１との間に確実に、しかも安定に挟んでおくことができる。
【００２０】
また、貼り紙４０と壁面５０との間には図２に矢印Ａで示されるように、室内の空気流Ａが流通するので、貼り紙４０を長期にわたって貼った後にこれを剥がしても壁面５０に貼り紙４０の跡がくっきりと残ることはない。
【００２１】
なお、上記の例では受け部材にコルク３４を用いたが、他の材料、例えばゴム、軟質のプラスチック等を用いることもできる。
【００２２】
図３は第２の実施形態を示し、図において図１及び図２と同一符号は同一又は相当部分を示す。本例では受け鋲３０の受け盤３１内には磁石３５が内蔵されている一方、押さえ盤２０は磁石３５に磁着され得る金属材料で製作されている。
【００２３】
貼り紙を壁面に貼る場合、第１の実施形態と同様に、受け鋲３０の鋲３２をその当たり部３３の先端が壁面に当たるまで壁面に差し込み、受け鋲３０の受け盤３１の上に貼り紙を重ね、その上から押さえ盤２０を受け鋲３０の受け盤３１上に重ならせると、押さえ盤２０が受け鋲３０の磁石３５に磁着されるので、押さえ盤２０と受け鋲３０の受け盤３１との間で貼り紙を挟持することができる。
【００２４】
なお、上記の例では受け鋲３０に磁石を設けるようにしたが、押さえ盤２０を磁石で製作し、あるいは押さえ盤２０に磁石を内蔵させ、受け鋲３０を磁石に磁着される材料で製作してもよく、又受け鋲３０及び押さえ盤２０を磁石で製作し、あるいは受け鋲３０及び押さえ盤２０に磁石を内蔵させるようにしてもよい。
【図面の簡単な説明】
【００２５】
【図１】本考案に係る画鋲の好ましい実施形態の全体構成及び断面構成を示す図である。
【図２】上記実施形態における使用状態の例を示す図である。
【図３】第２の実施形態を示す断面構成図である。
【符号の説明】
【００２６】
１０      画鋲
２０      押さえ盤
２１      短鋲
３０      受け鋲
３１      受け盤
３２      鋲
３３      当たり部
３４      コルク（受け部材）
３５      磁石
４０      貼り紙（貼り紙類）
５０      壁面
【図１】
0003110108.tif 000003
【図２】
0003110108.tif 000004
【図３】
0003110108.tif 000005